(57)【要約】【課題】バッテリをプリンタ本体に取り付け可能なプリンタにおいて、プリンタ本体の小型化と、バッテリを使用しない場合のプリンタ本体の姿勢の安定化とを実現する。【解決手段】一実施形態に係るプリンタは、プリンタ本体と、プリンタ本体に着脱可能な電池収容装置と、を備え、電池収容装置がプリンタ本体に取り付けられた状態では、電池収容装置の上面が平面視にてプリンタ本体の底面全体を覆うように配置される、プリンタである。【選択図】図２
2019171875.tif 000002
【特許請求の範囲】
【請求項１】
プリンタ本体と、
前記プリンタ本体に着脱可能な電池収容装置と、
を備え、
前記電池収容装置が前記プリンタ本体に取り付けられた状態では、前記電池収容装置の上面が平面視にて前記プリンタ本体の底面全体を覆うように配置される、
プリンタ。
【請求項２】
前記プリンタ本体は、前記電池収容装置が前記プリンタ本体に取り付けられていない状態において外部電源の供給を受けるための電源端子を備える、
請求項１に記載されたプリンタ。
【請求項３】
前記プリンタ本体の底面、及び、前記電池収容装置の底面は、それぞれ平坦面を含む、
請求項１又は２に記載されたプリンタ。
【請求項４】
前記電池収容装置の底面の外縁は、前記プリンタ本体の底面の外縁と同一である、
請求項１〜３のいずれかに記載されたプリンタ。
【請求項５】
前記電池収容装置は、平面視にて中央近傍に前記二次電池を収容するためのハウジングが設けられている、
請求項１〜４いずれかに記載されたプリンタ。
【請求項６】
前記プリンタ本体の底部は係合溝を有し
前記電池収容装置の底部は係合突起を有し、
前記係合溝と前記係合突起が係合することにより、前記電池収容装置が前記プリンタ本体に取り付けられる、
請求項１〜５のいずれかに記載されたプリンタ。
【請求項７】
前記プリンタ本体は、表示パネルを備え、
前記電池収容装置が前記プリンタ本体に取り付けられていない状態で前記プリンタ本体を載置面に載置させた場合と、前記電池収容装置が前記プリンタ本体に取り付けられている状態で前記プリンタ本体を前記載置面に載置させた場合とで、前記表示パネルの前記載置面に対する傾斜角度が同一である、
請求項１〜６のいずれかに記載されたプリンタ。
【発明の詳細な説明】
【技術分野】
【０００１】
本発明は、電池を搭載可能なプリンタに関する。
【背景技術】
【０００２】
従来から、バッテリをプリンタ本体に取り付け可能なプリンタが知られている。例えば特許文献１に記載されているプリンタは、プリンタ本体と、当該プリンタ本体とバッテリケースとを係止接続する係止装置とを備える。プリンタ本体の底面には、バッテリケースを収容可能な収容部等が形成されている。特許文献２には、バッテリ収容部を形成した小型プリンタが記載されている。
【先行技術文献】
【特許文献】
【０００３】
【特許文献１】特許第３９１６１８２号公報
【特許文献２】特開２０１６−６４５４９号公報
【発明の概要】
【発明が解決しようとする課題】
【０００４】
特許文献１に記載されているプリンタは、バッテリケースがプリンタ本体の底面の半分程度を占めるように構成されている（特許文献１の図２参照）。そのため、バッテリを使用しない場合には、プリンタ本体の収容部の空間が無駄となるばかりか、プリンタ本体の姿勢が不安定になってしまう。
特許文献２に記載されているプリンタは、全体に占めるバッテリ収容部の空間が広く、バッテリを使用しない場合にはその空間が無駄となる。言い換えれば、プリンタのバッテリ収容空間は、プリンタの小型化の阻害要因となっている。
【０００５】
そこで、本発明の目的は、バッテリをプリンタ本体に取り付け可能なプリンタにおいて、プリンタ本体の小型化と、バッテリを使用しない場合のプリンタ本体の姿勢の安定化とを実現することである。
【課題を解決するための手段】
【０００６】
本発明のある態様は、プリンタ本体と、前記プリンタ本体に着脱可能な電池収容装置と、を備え、前記電池収容装置が前記プリンタ本体に取り付けられた状態では、前記電池収容装置の上面が平面視にて前記プリンタ本体の底面全体を覆うように配置される、プリンタである。
【発明の効果】
【０００７】
本発明のある態様によれば、バッテリをプリンタ本体に取り付け可能なプリンタにおいて、プリンタ本体の小型化と、バッテリを使用しない場合のプリンタ本体の姿勢の安定化とを実現することができる。
【図面の簡単な説明】
【０００８】
【図１】実施形態に係る載置システムにおいて、プリンタをクレードルに載置させたときの斜視図である。
【図２】実施形態に係る載置システムにおいて、バッテリユニットをクレードルに載置させたときの斜視図である。
【図３】実施形態に係るプリンタについて、開閉部が閉鎖状態である場合を示す斜視図である。
【図４】実施形態に係るプリンタについて、開閉部が開放状態である場合を示す斜視図である。
【図５】実施形態に係るプリンタの動作を説明するためのプリンタの概略断面図である。
【図６】実施形態に係るプリンタの底面側から見た斜視図である。
【図７】実施形態に係るプリンタの底面図であって、コネクタカバーが閉鎖状態の図である。
【図８】実施形態に係るプリンタの底面図であって、コネクタカバーが開放状態の図である。
【図９】実施形態に係るバッテリユニットの斜視図である。
【図１０】実施形態に係るバッテリユニットの平面図である。
【図１１】実施形態に係るバッテリユニットの底面側から見た斜視図である。
【図１２】実施形態に係るバッテリユニットの底面図である。
【図１３】図１３Ａは、実施形態に係るバッテリユニットの背面図である。図１３Ｂは、図１０のＡ−Ａ断面図である。
【図１４】図１４Ａ〜１４Ｃは、プリンタとバッテリユニットの係合を順に説明する図である。
【図１５】実施形態に係るクレードルの斜視図である。
【図１６】実施形態に係るクレードルの平面図である。
【図１７】実施形態に係るクレードルの底面図である。
【図１８】実施形態に係るクレードルの底面側から見た斜視図であって、カバーを外した状態の図である。
【図１９】実施形態に係るクレードルにＡＣアダプタを収容させた状態を示す斜視図である。
【図２０】実施形態に係るクレードルのコネクタの斜視図である。
【図２１】実施形態に係るクレードルのＰＣＢハウジングの内部を示す図である。
【図２２】図２２Ａは、図１６のＢ−Ｂ断面図であってプリンタとクレードルとが係合し始めた状態を示す図である。図２２Ｂは、図１６のＢ−Ｂ断面図であってプリンタとクレードルとが完全に係合した状態を示す図である。
【図２３】図２３Ａは、実施形態に係るクレードルの解除レバーの動作を説明する図であって、解除レバーが操作されていない状態の図である。図２３Ｂは、実施形態に係るクレードルの解除レバーの動作を説明する図であって、解除レバーが操作されている状態の図である。
【図２４】図２４Ａは、実施形態に係るクレードルの解除レバーの動作を説明する図であって、解除レバーが操作されていない状態の図である。図２４Ｂは、実施形態に係るクレードルの解除レバーの動作を説明する図であって、解除レバーが操作されている状態の図である。
【図２５】実施形態に係るクレードルにおいて、コネクタの変形例を示す図である。
【発明を実施するための形態】
【０００９】
（１）載置システム５０
以下、図１及び図２を参照して、本発明に係る載置システム５０の一実施形態について説明する。図１は、本実施形態に係る載置システムにおいて、プリンタをクレードルに載置させたときの斜視図である。図２は、本実施形態に係る載置システムにおいて、バッテリユニットをクレードルに載置させたときの斜視図である。
【００１０】
図１及び図２に示すように、本実施形態の載置システム５０は、プリンタ１と、バッテリユニット２０と、載置装置としてのクレードル３０とを含む。プリンタ１は、クレードル３０に載置される電子機器の一例である。バッテリユニット２０は、プリンタ１に着脱可能であって、リチウムイオン電池等の二次電池を収容可能な装置である。後述するように、クレードル３０にはＡＣアダプタが内蔵されている。当該ＡＣアダプタは、ケーブルＣ１によって外部の商用電源に接続可能である。
なお、バッテリユニット２０が取り付けられていない状態のプリンタ１は、プリンタ本体ということもできる。
【００１１】
本実施形態の載置システム５０では、ユーザがプリンタ１を、バッテリユニット２０を取り付けない状態でクレードル３０に載置させる場合と、ユーザがプリンタ１を、バッテリユニット２０を取り付けた状態でクレードル３０に載置させる場合の２種類の使用態様がある。
前者は図１に示すように、バッテリユニット２０をプリンタ１に取り付けずにプリンタ１の底面をクレードル３０上に載置させる使用態様（以下、適宜「使用態様Ｕ１」という。）である。後者は図２に示すように、バッテリユニット２０をプリンタ１に取り付けてバッテリユニット２０の底面をクレードル３０上に載置させる使用態様（以下、適宜「使用態様Ｕ２」という。）である。
【００１２】
使用態様Ｕ１は、クレードル３０に内蔵されたＡＣアダプタによって得られる直流電圧によってプリンタ１を動作させるときの使用態様であり、プリンタ１がクレードル３０と連結（ロック）される。使用態様Ｕ１の場合、重量が嵩むバッテリユニット２０をプリンタ１に取り付けず、かつプリンタ１がクレードル３０と連結されているため、プリンタ１とクレードル３０を一体的に持ち運んでプリンタ１を動作させるのに便利である。また、後述するように、クレードル３０にはＡＣアダプタが内蔵されているため、プリンタ１の使用時にＡＣアダプタを保護することができる。
【００１３】
使用態様Ｕ２は主として、バッテリユニット２０に収容されているバッテリを充電するときの使用態様であり、バッテリユニット２０の底面をクレードル３０上に載置させたときにはバッテリユニット２０がクレードル３０と連結（ロック）されない。そのため、バッテリユニット２０とクレードル３０との連結を解除する操作を行う必要がなく、プリンタ１とバッテリユニット２０を一体的にクレードル３０に載置させ、あるいはクレードル３０から取り外すときの操作が煩雑でない。従って、主としてバッテリ電源によってプリンタ１を動作させるときの操作性が良好である。
なお、バッテリユニット２０をプリンタ１に取り付けずにバッテリユニット２０のみをクレードル３０上に載置してクレードル３０に内蔵されているＡＣアダプタを商用電源に接続してもバッテリユニット２０内のバッテリを充電することはできない。
【００１４】
（２）プリンタ１
次に、本実施形態に係るプリンタ１について説明する。  
先ずは、プリンタ１の全体的な構成およびその動作について、図３〜５を参照して説明する。
図３は、実施形態に係るプリンタ１について、開閉部３が閉鎖状態である場合を示す斜視図である。図４は、実施形態に係るプリンタ１について、開閉部３が開放状態である場合を示す斜視図である。図５は、実施形態に係るプリンタ１の動作を説明するためのプリンタ１の概略断面図である。図５では、プリンタ１内部の電気的な接続関係を点線で記載してある。
【００１５】
図３〜５に示すように、本実施形態のプリンタ１は、筐体２と、開閉部３と、表示パネル４と、プラテンローラ５と、サーマルヘッド６と、収容部８と、ダンパ９と、ガイド機構１０と、モータ１１と、補助ローラ１３，１７と、制御部１８と、把持部１９とを備える。筐体２は、プリンタ１の外形形状に合わせて形成されている。
【００１６】
図３に記載したように、プリンタ１の底面は略長方形をなしており、その長辺に沿った方向を前後方向と定義する。すなわち、搬送方向下流側のプラテンローラ５が設けられている側を前方（ＦＲ）と定義し、その反対側の搬送方向上流側を後方（ＲＲ）と定義する。当該前後方向を基準として、右側（ＲＨ）、左側（ＬＨ）、上側（ＵＰ）および下側（ＬＯ）を定義する。なお、以下の説明では適宜、右側（ＲＨ）の方向または左側（ＬＨ）の方向を横方向といい、上側（ＵＰ）の方向または下側（ＬＯ）の方向を上下方向という。
【００１７】
収容部８は、筐体２の内部に設けられてロール紙Ｒを収容する空間であり、下方を筐体の内部底面、上方を開閉部３の内面、左右方向を筐体の内部側面により囲まれて形成されている。開閉部３は、収容部８を開放または閉鎖するカバーである。開閉部３および筐体２の後方端部においてシャフト３１（図５参照）によって揺動可能に軸支して構成されている。
【００１８】
図４に示すように、ロール紙Ｒは、帯状の連続紙Ｐがロール状に巻回されたものである。図示の例では、連続紙Ｐは、帯状の台紙ＰＭと、台紙上に予め決められた間隔毎に仮着された複数枚のラベルＰＬとを備えている。
本実施形態のプリンタ１では、プラテンローラ５の回転によってロール紙Ｒから連続紙Ｐが繰り出されるが、収容部８には、連続紙Ｐが繰り出された後にプラテンローラ５に至るまでの搬送経路を形成する空間も含まれる。
【００１９】
収容部８には、ロール紙Ｒの内部底面８ａ上に後述するガイド機構１０が設けられている。ガイド機構１０は、収容部８内でロール紙Ｒを回転可能に保持し、かつロール紙Ｒの幅方向の移動を規制する。本実施形態のガイド機構１０には、幅が異なる様々なロール紙Ｒの側面を支持できるように、ロール紙Ｒの幅方向の位置を調整可能な移動機構が組み込まれていてもよい。
【００２０】
ダンパ９は、ロール紙Ｒから繰り出される連続紙Ｐの表面（具体的には、印字面）に対向する位置に配置され、連続紙Ｐの張力の変動を吸収する。
【００２１】
図３に示すように、開閉部３の表側には表示パネル４が設けられている。表示パネル４は、開閉部３が閉鎖した状態においてユーザに対する入出力インタフェースを提供し、例えばタッチパネル機能を備えた液晶表示パネルである。
【００２２】
図４に示すように、筐体２の搬送方向下流側には、プラテンローラ５が正逆方向に回動自在の状態で軸支されている。プラテンローラ５は、ロール紙Ｒから繰り出される連続紙Ｐを搬送する搬送手段であり、連続紙Ｐの幅方向に沿って延在した状態で形成されている。プラテンローラ５はモータ１１（図５参照）によって駆動される。
筐体２側には補助ローラ１３が設けられ、開閉部３側には補助ローラ１７が設けられている。図５に示すように、開閉部３が閉鎖状態のときには、補助ローラ１３，１７が連続紙Ｐを挟んで対向し、連続紙Ｐのプラテンローラ５への搬送を補助する。
【００２３】
サーマルヘッド６は、開閉部３が閉鎖状態のときにプラテンローラ５と対向するように、開閉部３に配置されている。
サーマルヘッド６は、例えば、文字、記号、図形またはバーコード等のような情報を、ロール紙Ｒから繰り出される連続紙ＰのラベルＰＬ上に印字する印字手段である。図５に示すように、サーマルヘッド６は、開閉部３が閉鎖状態のときにはサーマルヘッド６の印字面が連続紙Ｐの搬送路に向き、かつプラテンローラ５に対向する。サーマルヘッド６の印字面には、通電により発熱する複数の発熱抵抗体（発熱素子）が連続紙Ｐの幅方向に沿って並んで設置されている。サーマルヘッド６は、制御部１８に電気的に接続されている。
【００２４】
図示されていないが、サーマルヘッド６の裏側にはサーマルヘッド６に対して付勢力を与える付勢部材としてのコイルばねが設けられている。
開閉部３が閉鎖されて印字が行われているときには、ロール紙Ｒから繰り出される連続紙Ｐがプラテンローラ５によって搬送されつつ、プラテンローラ５とサーマルヘッド６の間で挟持される。このとき、サーマルヘッド６は、上記付勢力によってプラテンローラ５に押し付けられ、それによって印字に適したヘッド圧が生成される。
【００２５】
図５に示すように、開閉部３が閉鎖状態において、プラテンローラ５が順方向に駆動されると、ガイド機構１０に保持されたロール紙Ｒから繰り出される連続紙Ｐは、補助ローラ１３，１７に挟持されつつプラテンローラ５へ向かう。補助ローラ１３，１７と収容部８の間に配置されているダンパ９の動作によって、ロール紙Ｒから繰り出される連続紙Ｐの張力の変動が吸収される。プラテンローラ５に対向するサーマルヘッド６によって印字された連続紙Ｐは、開閉部３と閉鎖状態のときの筐体２と開閉部３の隙間である排出口７からプリンタ１の外部に排出される。
【００２６】
制御部１８は、マイクロコントローラを主体として構成され、印字データを基にモータ１１を制御するとともにサーマルヘッド６へ印字信号を送信する。
制御部１８には、コネクタ１１５を介して、バッテリ電源又はＡＣアダプタの出力である所定の外部電圧が供給される。外部電圧の供給は、プリンタ１がクレードル３０に直接載置され、かつクレードル３０に内蔵されたＡＣアダプタが商用電源に接続されたときに行われる。バッテリ電源による電圧供給は、プリンタ１がバッテリユニット２０に取り付けられたときに行われる。
【００２７】
プリンタ１にバッテリユニット２０が取り付けられた状態でクレードル３０に載置させ、かつクレードル３０に内蔵されたＡＣアダプタが商用電源に接続されたときには、バッテリユニット２０に収容されたバッテリに対する充電が行われる。このとき制御部１８は、バッテリの充電時にバッテリユニット２０に対する充電制御を行う。
【００２８】
次に、図６〜８を参照して、プリンタ１の底面の構造について説明する。
図６は、本実施形態に係るプリンタ１の底面側から見た斜視図である。図７は、本実施形態に係るプリンタ１の底面図であって、コネクタカバー１０９が閉鎖状態の図である。図８は、本実施形態に係るプリンタ１の底面図であって、コネクタカバー１０９が開放状態の図である。
【００２９】
図６及び図７に示すように、プリンタ１の底面には、基準面１０Ｂｓから突出した４箇所の脚部１０１が設けられている。脚部１０１は例えばゴム又はプラスチック製である。脚部１０１の底面は平坦面であり、プリンタ１を設置場所に置いたときの姿勢を安定化させる。
【００３０】
凹部１０７は、バッテリユニット２０のＰＣＢハウジング２０７（図９参照）及びクレードル３０のＰＣＢハウジング３０７の各々の形状に対応した形状となっている。つまり、凹部１０７は、プリンタ１にバッテリユニット２０が取り付けられる場合にＰＣＢハウジング２０７を受け入れ、かつ、プリンタ１がクレードル３０に載置される場合にＰＣＢハウジング３０７（図１５参照）を受け入れる。ＰＣＢハウジング２０７，３０７を受け入れるように、凹部１０７は基準面１０Ｂｓから凹んだ形状となっている。
凹部１１３は、プリンタ１にバッテリユニット２０が取り付けられる場合に、バッテリユニット２０のバッテリハウジング２１３と係合するように、基準面１０Ｂｓから凹んだ形状となっている。
【００３１】
４箇所の係合溝１０３は、基準面１０Ｂｓに対して設けられた溝であり、プリンタ１にバッテリユニット２０が取り付けられるときに、バッテリユニット２０の４箇所の係合突起２０３（図９参照）と係合するようにして形成されている。本実施形態では、係合突起２０３が係合溝１０３に挿入されるようにプリンタ１をバッテリユニット２０に配置してプリンタ１を前方にスライドさせることで、係合突起２０３と係合溝１０３が係合する。係合突起２０３と係合溝１０３が係合した状態では、プリンタ１とバッテリユニット２０の上下方向の相対移動が規制される。
係合溝１０３と係合突起２０３の係合については、後に詳しく説明する。
【００３２】
係合凹部１１１は、係合溝１０３と係合突起２０３が係合した状態でプリンタ１とバッテリユニット２０の前後方向の相対的な移動が制限されるように、バッテリユニット２０の係合突起２１１（図９参照）と係合する。係合凹部１１１と係合突起２１１が係合することで、プリンタ１とバッテリユニット２０がロックし、後述する解除操作部２３５（図１３Ａ参照）が操作されない限り、バッテリユニット２０をプリンタ１から取り外すことができない。
【００３３】
連結部１０５は、プリンタ１の前方端部近傍に設けられており、プリンタ１が直接クレードル３０上に載置されたときにクレードル３０の連結部３０５（図１５参照）と連結する部分である。連結部１０５には、連結部３０５との連結時に連結部３０５の連結爪に引っ掛けられるように突起１０５ａが設けられている。
【００３４】
図８に示すように、コネクタカバー１０９を取り外すとコネクタ１１５が露出する。コネクタ１１５は、平坦な基板上に形成された複数の円形の電気接点を含む。プリンタ１にバッテリユニット２０が取り付けられたときには、コネクタ１１５はバッテリユニット２０のコネクタ２１５（図１０参照）と接続される。プリンタ１がクレードル３０に直接載置されるときには、コネクタ１１５はクレードル３０のコネクタ３０９（図１６参照）と接続される。
【００３５】
コネクタ１１５の端子の中には、第１の電源端子と第２の電源端子とが含まれる。
第１の電源端子は、プリンタ１がクレードル３０に直接載置されたときにクレードル３０の外部電源端子（ＡＣアダプタの出力である所定の直流電圧が印加される端子）に接触する端子である。第１の電源端子は、バッテリユニット２０がプリンタ１に取り付けられていない状態において外部電源の供給を受けるための端子である。すなわち、プリンタ本体は、電池収容装置（例えばバッテリユニット２０）がプリンタ本体に取り付けられていない状態において外部電源の供給を受けるための電源端子を備える。
第２の電源端子は、プリンタ１にバッテリユニット２０が取り付けられた場合にバッテリユニット２０の電源供給端子（後述する）に接触する端子である。
【００３６】
（３）バッテリユニット２０
次に、図９〜１４を参照して、バッテリユニット２０について説明する。
図９は、本実施形態に係るバッテリユニット２０の斜視図である。図１０は、本実施形態に係るバッテリユニット２０の平面図である。図１１は、本実施形態に係るバッテリユニット２０の底面側から見た斜視図である。図１２は、本実施形態に係るバッテリユニット２０の底面図である。なお、図１２では、コネクタカバー２２９を解放してコネクタ２２６を露出した状態で示している。
図１３Ａは、実施形態に係るバッテリユニット２０の背面図である。図１３Ｂは、図１０のＡ−Ａ断面図である。図１４Ａ〜１４Ｃは、プリンタ１とバッテリユニット２０の係合を順に説明する図である。
【００３７】
図９及び図１０に示すように、バッテリユニット２０の上面には、基準面２０Ｆｓから窪んでいる４箇所の脚受入部２０１が形成されている。脚受入部２０１は、バッテリユニット２０がプリンタ１に取り付けられたときにプリンタ１の脚部１０１を受け入れるために設けられている。後述するように、プリンタ１の着脱のためにバッテリユニット２０上でプリンタ１を前後方向に移動させることから、脚受入部２０１は、長径が前後方向となる楕円形となっている。
【００３８】
ＰＣＢハウジング２０７は、プリント基板（Printed Circuit Board）を内部に収容し、プリンタ１の底面の形状に対応した形状となっている。つまり、バッテリユニット２０がプリンタ１に取り付けられるときに、プリンタ１の凹部１０７（図６参照）に挿入される。
【００３９】
ＰＣＢハウジング２０７の上面には、コネクタ２１５が設けられている。コネクタ２１５は、ＰＣＢハウジング２０７に収容されたプリント基板に接続されている。コネクタ２１５は、上方に突出する複数のピン状の端子を含む。バッテリユニット２０がプリンタ１に取り付けられたときには、コネクタ２１５はプリンタ１のコネクタ１１５（図８参照）と接続される。
【００４０】
コネクタ２１５の端子の中には、バッテリハウジング２１３内のバッテリに接続される電源供給端子が含まれる。電源供給端子は、プリンタ１にバッテリユニット２０が取り付けられたときにプリンタ１のコネクタ１１５の第２の電源端子が接触する端子である。コネクタ２１５の電源供給端子とコネクタ１１５の第２の電源端子との接触によって、バッテリ電源がプリンタ１に供給される。
【００４１】
４箇所の係合突起２０３は、基準面２０Ｆｓに対して設けられた突起であり、バッテリユニット２０がプリンタ１に取り付けられるときに、プリンタ１の４箇所の係合溝１０３（図６参照）と係合するようにして形成されている。前述したように、本実施形態では、係合突起２０３が係合溝１０３に挿入されるようにプリンタ１をバッテリユニット２０に配置してプリンタ１を前方にスライドさせることで、係合突起２０３と係合溝１０３が係合する。係合突起２０３と係合溝１０３が係合することで、バッテリユニット２０がプリンタ１に取り付けられる。
以下、係合突起２０３と係合溝１０３の係合について、図１４を参照して説明する。
【００４２】
図１４Ａ〜１４Ｃは、バッテリユニット２０に対してプリンタ１を移動させることでプリンタ１にバッテリユニット２０を取り付けるときの、係合突起２０３と係合溝１０３の状態を順に示している。なお、図１４Ａ〜１４Ｃでは、図６の斜視図と同じ視点（つまり、プリンタ１の底面側から見た斜視）から係合突起２０３と係合溝１０３を図示している。
図１４Ａは、プリンタ１の底面をバッテリユニット２０の上面に置く直前の状態を示している。図６及び図１４Ａに示すように、プリンタ１の係合溝１０３は、前方に位置する比較的幅の広い幅広溝１０３ａと、後方に位置する比較的幅の狭い幅狭溝１０３ｂとによって形成されている。一方、図９及び図１４Ａに示すように、係合突起２０３は、基準面２０Ｆｓから突出する脚部２０３ａと、脚部の先端から後方に延びる係合部２０３ｂとを有する。係合部２０３ｂの幅は、幅狭溝１０３ｂの幅と、幅広溝１０３ａの幅との間に設定されている。
【００４３】
図１４Ｂに示すように、プリンタ１の底面をバッテリユニット２０の上面に向けて下向きに移動させて、係合溝１０３の幅広溝１０３ａに係合突起２０３の係合部２０３ｂが挿入されるようにする。
次に、プリンタ１をバッテリユニット２０に対して相対的に後方にスライドさせる。すると、図１４Ｃに示すように、係合突起２０３の係合部２０３ｂがプリンタ１の内部において後方に移動し、係合溝１０３の幅狭溝１０３ｂと嵌合するようになる。ここで、係合部２０３ｂの幅が幅狭溝１０３ｂの幅よりも広く設定されているため、プリンタ１とバッテリユニット２０の上下方向の相対移動が規制される。図１４Ｃの示す状態が、係合突起２０３と係合溝１０３が係合した状態である。
この状態は、バッテリユニット２０がプリンタ１に取り付けられた状態であり、プリンタ１の底面がバッテリユニット２０の上面に対向している。
【００４４】
再度図９及び図１０を参照すると、係合突起２１１は、係合突起２０３と係合溝１０３が係合した状態でプリンタ１とバッテリユニット２０の前後方向の相対的な移動が規制されるように、プリンタ１の係合凹部１１１（図６参照）と係合する。係合突起２１１は、基準面２０Ｆｓから突出しない非突出位置と、基準面２０Ｆｓから突出する突出位置との間で移動可能である。係合突起２１１は突出位置に付勢されており、係合突起２１１上にプリンタ１が設置されない場合には、図９に示すように突出位置に位置している。
【００４５】
プリンタ１をバッテリユニット２０に向けて上から下に移動させてバッテリユニット２０上に置いたとき、つまり図１４Ｂに示した状態のときに、プリンタ１の底面の基準面１０Ｂｓが係合突起２１１に当接する。これにより、係合突起２１１は非突出位置まで移動する。
次いで、図１４Ｃに示したようにプリンタ１をバッテリユニット２０に対して相対的に後方にスライドさせ、プリンタ１の係合凹部１１１が係合突起２１１に対向する位置まで後方に移動すると、付勢力によって係合突起２１１は突出位置まで移動する。その結果、係合凹部１１１と係合突起２１１が係合して、プリンタ１のバッテリユニット２０に対する前後方向の移動も制限される。つまり、プリンタ１とバッテリユニット２０がロックした状態となる。
【００４６】
ここで、本実施形態において、プリンタ１に対してバッテリユニット２０が取り付けられた状態の特徴(i)〜(iii)について説明する。
(i) 本実施形態では、図７に示したプリンタ１の底面の外縁と、図１２に示すバッテリユニット２０の底面の外縁とは同一である。つまり、図２に示したように、プリンタ１にバッテリユニット２０が取り付けられた状態では、プリンタ１とバッテリユニット２０の外縁が一致するようになる。そのため、バッテリユニット２０の上面が平面視にてプリンタ１の底面全体を覆うように配置されることから、バッテリユニット２０が取り付けられたプリンタ１の姿勢が安定化する。
本実施形態のプリンタ１は、内部にバッテリを収容するためのバッテリハウジングを備える必要がないため、バッテリユニット２０を取り外したときのプリンタ１を小型化することができる。また、プリンタ１の底面の外縁と、バッテリユニット２０の底面の外縁とが同一であるため、プリンタ１にバッテリユニット２０が取り付けられた状態でも全体が小型化し、一体として持ち運びやすくなっている。
【００４７】
(ii) 本実施形態では、バッテリユニット２０がプリンタ１に取り付けられる場合には、プリンタ１の底面の基準１０Ｂｓがバッテリユニット２０の上面の基準２０Ｆｓと面接触する。また、バッテリユニット２０の上面の基準２０Ｆｓと、バッテリユニット２０の脚部２２１の底面との高さの差が一定である。そのため、プリンタ１を載置面（例えば水平面やクレードル３０の上面）に載置させた場合と、バッテリユニット２０がプリンタ１に取り付けられている状態でプリンタ１を載置面に載置させた場合とで、表示パネル４の載置面に対する傾斜角度が同一となる。その結果、バッテリユニット２０の取り付け有無に関わらず、ユーザの表示パネル４の操作性や視認性が変化しないという利点がある。
【００４８】
(iii) 図１０に示したように、比較的重いバッテリを収容するためのバッテリハウジング２１３が平面視にて中央近傍に設けられている。そのため、プリンタ１に対してバッテリユニット２０が取り付けられた状態では、バッテリユニット２０を底面にして設置したときの安定性が高いという利点がある。
【００４９】
次に図１３Ａを参照すると、バッテリユニット２０の後端部には、解除操作部２３５が設けられている。解除操作部２３５は、プリンタ１とバッテリユニット２０がロックした状態を解除する操作レバーである。解除操作部２３５を下方にスライド操作すると、係合突起２１１が連動して非突出位置まで移動し、係合凹部１１１の係合突起２１１に対する前後方向の相対的移動が可能となる。従って、解除操作部２３５を操作しつつプリンタ１をバッテリユニット２０に対して前方に相対移動させることで、バッテリユニット２０をプリンタ１から取り外すことができる。
なお、解除操作部２３５に対する操作によって係合突起２１１に対する付勢力に抗する力を生じさせるための構成はここでは説明しないが、当業者であれば適宜設計可能である。
【００５０】
図１３Ａに示すように、バッテリユニット２０の後端部には、バッテリハウジング２１３を開放又は閉鎖するバッテリカバー２３１が設けられている。レバー２３３は、バッテリカバー２３１をロックし、又はロックを解除するために設けられている。
図１３Ｂに示すように、バッテリハウジング２１３の内部は、バッテリを収容するための中空２１３Ｈが形成されている。
【００５１】
図１１及び図１２を参照すると、バッテリユニット２０の底面には、基準面２０Ｂｓから突出した４箇所の脚部２２１が設けられている。脚部２２１の底面は平坦面であり、プリンタ１に取り付けたバッテリユニット２０を設置場所に置いたときの姿勢を安定化させる。すなわち、プリンタ本体の底面、及び、電池収容装置（例えばバッテリユニット２０）の底面は、それぞれ平坦面を含む。
脚部２２１は、例えばゴム又はプラスチック製である。
【００５２】
凹部２２７は、クレードル３０の形状に対応した形状となっている。つまり、バッテリユニット２０がクレードル３０に載置されるときに、クレードル３０のＰＣＢハウジング３０７（図１５参照）が挿入されるように、凹部２２７は基準面２０Ｂｓから凹んだ形状となっている。
凹部２２７には、コネクタ２２６（図１２参照）を開放又は閉鎖するコネクタカバー２２９が設けられている。コネクタ２２６は、平坦な基板上に形成された複数の円形の電気接点であり、バッテリユニット２０がクレードル３０に載置された場合に、クレードル３０のコネクタ３０９（図１５参照）と接続される。
【００５３】
コネクタ２２６の端子の中には、バッテリハウジング２１３内のバッテリを充電するための充電端子が含まれる。充電端子は、プリンタ１に取り付けられたバッテリユニット２０がクレードル３０に載置されたときに、クレードル３０のコネクタ３０９の外部電源端子（ＡＣアダプタの出力である所定の直流電圧が印加される端子）と接触する。
【００５４】
２箇所の溝２２３は、基準面２０Ｂｓに対して設けられた溝であり、バッテリユニット２０がクレードル３０に載置されるときに、クレードル３０の２箇所の突起３０３（図１５参照）が挿入されるようにして形成されている。溝２２３に突起３０３が挿入された状態では、バッテリユニット２０は、クレードル３０に対して前後に相対移動することはできないが、クレードル３０に対して上下方向に挿脱自在である。
【００５５】
凹部２２５は、バッテリユニット２０がクレードル３０に載置されるときに、クレードル３０の連結部３０５を受け入れるために設けられている。凹部２２５が設けられていることで、バッテリユニット２０がクレードル３０に載置されるときには、バッテリユニット２０とクレードル３０は連結されない。
【００５６】
（４）クレードル３０
次に、図１５〜２１を参照して、クレードル３０について説明する。
【００５７】
（４−１）全体構造
先ず、図１５〜１８を参照して、クレードル３０の全体的な構造について説明する。
図１５は、本実施形態に係るクレードル３０の斜視図である。図１６は、本実施形態に係るクレードル３０の平面図である。図１７は、本実施形態に係るクレードル３０の底面図である。図１８は、本実施形態に係るクレードル３０の底面側から見た斜視図であって、カバーを外した状態の図である。図１９は、本実施形態に係るクレードル３０にＡＣアダプタを収容させた状態を示す斜視図である。
【００５８】
図１５及び図１６に示すように、クレードル３０の上部には、プリンタ１又はバッテリユニット２０を安定的に載置するために、基準面３０Ｆｓの周囲を取り囲むようにして、前端壁面３０ａ、左端側壁面３０ｂ、右端側壁面３０ｃ、及び、後端壁面３０ｄが形成されている。
【００５９】
クレードル３０の上面には、基準面３０Ｆｓから窪んでいる４箇所の円形の脚受入部３０１が形成されている。脚受入部３０１は、プリンタ１又はバッテリユニット２０がクレードル３０に載置されたときにプリンタ１の脚部１０１又はバッテリユニット２０の脚部２２１を受け入れるために設けられている。
【００６０】
ＰＣＢハウジング３０７は、プリント基板を内部に収容し、プリンタ１又はバッテリユニット２０の形状に対応した形状となっている。つまり、プリンタ１がクレードル３０に載置される場合にプリンタ１の凹部１０７に挿入され、かつ、バッテリユニット２０がクレードル３０に載置される場合にバッテリユニット２０の凹部２２７に挿入されるように、ＰＣＢハウジング３０７は基準面３０Ｆｓから突出した形状となっている。なお、バッテリユニット２０がクレードル３０に載置される場合には、バッテリユニット２０の底面がクレードル３０の上面に対向している。
【００６１】
ＰＣＢハウジング３０７の上面には、コネクタ３０９が設けられている。コネクタ３０９は、ＰＣＢハウジング３０７に収容されたプリント基板に接続されている。コネクタ３０９の詳細な構造については後述するが、コネクタ３０９のいずれの端子には上述した外部電源端子が含まれる。プリンタ１がクレードル３０に載置されたときには、コネクタ３０９はプリンタ１のコネクタ１１５と接続される。バッテリユニット２０がクレードル３０に載置されたときには、コネクタ３０９はバッテリユニット２０のコネクタ２２６と接続される。
【００６２】
２箇所の突起３０３は、基準面３０Ｆｓに対して設けられた突起である。突起３０３は、プリンタ１がクレードル３０に載置されるときには、プリンタ１の４箇所の係合溝１０３のうち後方の２箇所の係合溝１０３に挿入される。突起３０３は、バッテリユニット２０がクレードル３０に載置されるときには、バッテリユニット２０の底面の溝２２３に挿入される。突起３０３は、係合溝１０３及び溝２２３との間で挿脱自在となるように形成されている。
【００６３】
図１５及び図１６に示すように、係合突起３１１が、クレードル３０の後端壁面３０ｄから前方に突出するように形成されている。係合突起３１１は、プリンタ１がクレードル３０に載置されるときにプリンタ１の後端部の係合溝１２１と係合する。係合突起３１１と係合溝１２１との係合については後述する。
【００６４】
連結部３０５は、クレードル３０の前方端部近傍に設けられており、プリンタ１が直接クレードル３０上に載置されたときにプリンタ１の連結部１０５（図６参照）と連結する部分である。
解除レバー３１５は、連結部３０５とプリンタ１の連結部１０５との連結を解除するための解除操作部である。解除レバー３１５は、操作性を考慮してクレードル３０の前端壁面３０ａに設けられている。
連結部３０５と連結部１０５との連結、及び、連結の解除については後述する。
【００６５】
２箇所の弾性体３１９は、右端側壁面３０ｃ及び左端側壁面３０ｂの近傍において基準面３０Ｆｓから上方に突出して設けられている。弾性体３１９は、プリンタ１がクレードル３０に載置されたときにプリンタ１の底面を上方に付勢し、それによって、連結部３０５とプリンタ１の連結部１０５との連結を強化する。この点についても後述する。
【００６６】
図１７に示すように、クレードル３０の底面には、基準面３０Ｂｓから突出した４箇所の脚部３２１が設けられている。脚部３２１は例えばゴム又はプラスチック製であり、クレードル３０を設置場所に置いたときの姿勢を安定化させる。
なお、本実施形態の例では、４箇所の脚部３２１のうち２箇所の脚部３２１は、カバー３２３に設けられているが、その限りではない。脚部３２１は、基準面３０Ｂｓ上の任意の位置に配置してよい。
【００６７】
カバー３２３は、クレードル３０の底面の後方に設けられている。図１８に示すように、カバー３２３は、ＡＣアダプタとケーブルをそれぞれ収容するためのアダプタハウジング３２７とケーブルハウジング３２９を開放又は閉鎖する。２箇所の係合爪３２５は、カバー３２３を閉鎖状態とするためにクレードル本体と係合している。係合爪３２５による係合を解除することで、カバー３２３を開放することができる。
【００６８】
図１８及び図１９は、カバー３２３を取り外して、アダプタハウジング３２７及びケーブルハウジング３２９を開放状態とした場合を示している。なお、図１８には、ＡＣアダプタとケーブルは図示していない。
図１８及び図１９に示すように、アダプタハウジング３２７には、アダプタハウジング３２７に収容されたＡＣアダプタ４００に接続されるケーブルＣ１を通過させるための開口３２７ｈが設けられている。ケーブルＣ１は、図示しない商用電源とＡＣアダプタ４００の間に接続され、商用電源の交流電圧をＡＣアダプタ４００に供給する。
ケーブルハウジング３２９内にはコネクタ３３１が設けられており、ＡＣアダプタ４００とコネクタ３３１にはケーブルＣ２が接続されている。ケーブルＣ２は、ＡＣアダプタ４００により得られる所定の直流電圧をクレードル３０のコネクタ３３１の外部電源端子に供給する。
【００６９】
（４−２）コネクタの構造
次に、図２０及び図２１を参照して、クレードル３０のコネクタ３０９の構造について説明する。
図２０は、本実施形態に係るクレードル３０のコネクタ３０９の斜視図である。図２１は、本実施形態に係るクレードル３０のＰＣＢハウジング３０７の内部を示す図である。
【００７０】
図２０に示すように、クレードル３０のＰＣＢハウジング３０７には、その基準面３０７ｓから隆起する隆起部Ｐ１，Ｐ２が形成されている。基準面３０７ｓは、被載置装置としてのプリンタ１又はバッテリユニット２０が載置された場合にプリンタ１又はバッテリユニット２０に対向する面である。
隆起部Ｐ１には、プリンタ１又はバッテリユニット２０と電気的に接続するための端子を含む複数の端子Ｔ１〜Ｔ１０が設けられている。隆起部Ｐ２には、プリンタ１又はバッテリユニット２０と電気的に接続するための端子を含む複数の端子Ｔ１１〜Ｔ２０が設けられている。
隆起部Ｐ１，Ｐ２は、それぞれクレードル３０の上面に侵入する可能性のある液体（例えば水分等）が端子間の短絡を誘発することを防止するために形成されている。
【００７１】
隆起部Ｐ１，Ｐ２の表面には、当該表面から突出する突出部Ｗ１〜Ｗ３が形成されている。各突出部は、複数の端子Ｔ１〜Ｔ２０のうち互いに異なる電圧が印加される端子間に設けられている。
本実施形態のコネクタ３０９の端子配列の例では、端子Ｔ１，Ｔ１１〜Ｔ１５は電源電圧が印加される端子であり、端子Ｔ１０，Ｔ１６〜Ｔ２０はＧＮＤ端子（グランド端子）であり、端子Ｔ２〜Ｔ９の少なくとも一部は所定の信号が印加される端子である。そのため、電源電圧が印加される端子Ｔ１と、所定の信号が印加されうる端子Ｔ２との間（つまり、異なる電圧が印加される端子間）に突出部Ｗ１が設けられている。所定の信号が印加されうる端子Ｔ９と、ＧＮＤ端子Ｔ１０との間（つまり、異なる電圧が印加される端子間）に突出部Ｗ２が設けられている。電源電圧が印加される端子Ｔ１５と、ＧＮＤ端子Ｔ１６との間（つまり、異なる電圧が印加される端子間）に突出部Ｗ３が設けられている。
突出部Ｗ１〜Ｗ３を設けたのは、隆起部Ｐ１，Ｐ２の表面に液体が存在する場合であっても、その液体が隆起部Ｐ１，Ｐ２の表面を伝わることを遮断して、端子間の短絡を誘発することをより確実に防止するためである。
【００７２】
図２０示す例では、突出部Ｗ１〜Ｗ３は、隆起部Ｐ１，Ｐ２の表面から起立する壁であって、壁面が端子に対向するようにして形成されている。突出部Ｗ１〜Ｗ３を壁とした場合には、省スペースとしつつ有効に液体の伝達を遮断できるが、突出部の形状はそれに限られない。隆起部Ｐ１，Ｐ２の表面において端子間の液体の伝達を遮断するように突出していれば、その形状は問わない。
突出部Ｗ１〜Ｗ３の高さは、被載置装置であるプリンタ１及びバッテリユニット２０との端子間の接触を阻害しない限り、極力高くすることが液体の伝達遮断性能の観点から好ましい。また、突出部Ｗ１〜Ｗ３は、隆起部Ｐ１，Ｐ２の幅全体に形成することが液体の伝達遮断性能の観点から好ましい。
【００７３】
多数の端子を含むコネクタの場合には、同一の電圧が印加される端子が互いに隣接するように（つまり、同一の電圧が印加される複数の端子が集約するように）端子配列を行うことが好ましい。同一の電圧が印加されて隣接する端子間では短絡が大きな問題を惹起することが少ないため、上記端子配列を行うことで、突出部の数を最小化することができる。突出部の数の低下させることにより、端子間に突出部を設けるスペースを考慮する場合が少なくなるため、コネクタ全体をコンパクトにすることができる可能性が高くなる。
この観点から、本実施形態のコネクタ３０９のコネクタ配列では、端子Ｔ１，Ｔ１１〜Ｔ１５は電源電圧が印加される端子とし、端子Ｔ１０，Ｔ１６〜Ｔ２０はＧＮＤ端子とし、端子Ｔ２〜Ｔ９を所定の信号が印加されうる端子としている。
【００７４】
図２０に示すように、コネクタ３０９の複数の端子Ｔ１〜Ｔ２０の各端子は、ピン形状であり、基準面３０７ｓから直交する方向に突出している。各端子の形状をピン形状に限定するものではないが、ピン形状にすることで、液体が端子に接触したとしても液体が端子に残留し難いという利点がある。
【００７５】
ピン形状である複数の端子Ｔ１〜Ｔ２０の各端子は、隆起部Ｐ１，Ｐ２の表面から離間する方向に付勢されていることが好ましい。コネクタ３０９の接続対象は、プリンタ１のコネクタ１１５、又はバッテリユニット２０のコネクタ２２６であり、いずれも平坦な基板上に形成された複数の円形の電気接点である。そのため、ピン形状である複数の端子Ｔ１〜Ｔ２０の各端子が隆起部Ｐ１，Ｐ２の表面から離間する方向に付勢されることで、コネクタ３０９の各端子が付勢力をもった状態でコネクタ１１５又はコネクタ２２６に接触する。その結果、コネクタ３０９と、コネクタ１１５又はコネクタ２２６との電気的接触の信頼性が向上する。
各端子に対する付勢方法は特に問わないが、例えばコイルばねや板ばねを利用することができる。
【００７６】
図２１を参照すると、ＰＣＢハウジング３０７の内部にはプリント基板Ｂ１が設けられており、各端子はこのプリント基板Ｂ１に接続されている。プリント基板Ｂ１の近傍では、各端子は端子収容部に収容されている。すなわち、端子Ｔ１〜Ｔ１０の各端子は端子収容部ＳＰ１に収容され、各端子の一部が端子収容部ＳＰ１から突出している。端子Ｔ１１〜Ｔ２０の各端子は端子収容部ＳＰ２に収容され、各端子の一部が端子収容部ＳＰ２から突出している。端子収容部ＳＰ１，ＳＰ２の内部は、エラストマーを有する内装部材が充填されていることが好ましい。すなわち、隆起部Ｐ１，Ｐ２の内部は、エラストマーを有する内装部材が設けられていることが好ましい。当該内装部材を設けることでプリント基板Ｂ１の近傍での端子間短絡の防止が確実になる。
【００７７】
（５）載置システム５０の動作
次に、図２２〜２４を参照して、載置システム５０の動作について場合を分けて説明する。図２２は係合機構３１０の動作を説明する図であり、図２３及び図２４はクレードル３０の連結機構３００の動作を説明する図である。
より具体的には、各図は以下のとおりである。
図２２Ａは、図１６のＢ−Ｂ断面図であってプリンタ１とクレードル３０とが係合し始めた状態を示す図である。図２２Ｂは、図１６のＢ−Ｂ断面図であってプリンタ１とクレードル３０とが完全に係合した状態を示す図である。
図２３Ａ及び図２４Ａは、本実施形態に係るクレードル３０の解除レバー３１５の動作を説明する図であって、解除レバー３１５が操作されていない状態の図である。図２３Ｂ及び図２４Ｂは、本実施形態に係るクレードル３０の解除レバー３１５の動作を説明する図であって、解除レバー３１５が操作されている状態の図である。
図２３Ａ及び図２３Ｂはそれぞれクレードル３０の内部の解除レバー３１５近傍の斜視図であり、図２４Ａ及び図２４Ｂはそれぞれクレードル３０の内部の解除レバー３１５近傍の側面図である。
【００７８】
（５−１）バッテリユニット２０が取り付けられていないプリンタ１をクレードル３０に載置させる場合
先ず、プリンタ１を直接クレードル３０に載置させる場合の動作について説明する。
【００７９】
図２２Ａに示すように、プリンタ１を直接クレードル３０に載置させる場合には先ず、プリンタ１の左側側面と右側側面がクレードル３０の左端側壁面３０ｂと右端側壁面３０ｃ（図２２Ａには図示せず）にガイドされるようにしてプリンタ１を後方にスライドさせる。すると、プリンタ１の横方向の位置決めがなされるため、図２２Ａに示すように、プリンタ１の後端部をクレードル３０の後端壁面３０ｄに当接させることで、プリンタ１の係合溝１２１にクレードル３０の係合突起３１１を挿入させることができる。プリンタ１の係合溝１２１にクレードル３０の係合突起３１１が挿入された状態では、プリンタ１のクレードル３０に対する左右方向への相対移動が制限される。
すなわち、プリンタ１とクレードル３０が接触し、かつ両者が連結していない状態で、左右方向（第２方向の一例）へのプリンタ１のクレードル３０に対する相対移動が制限される。
【００８０】
図２３Ａ及び図２４Ａに示すように、連結部３０５は、基部３０５ａと、連結爪３０５ｂと、係合片３０５ｃと、係合ピン３０５ｄとを有し、これらの要素が一体となって構成されている。連結部３０５の基部３０５ａと、クレードル３０の内部下面に固定された支持部３１６との間には、コイルばね３１８が設けられている。連結部３０５の係合ピン３０５ｄは、クレードル３０の下面に固定されて前後に長孔となっているガイド孔３１７に挿入され、それによって連結部３０５は前後に移動可能となっている。連結部３０５は、外力が作用しない場合、コイルばね３１８の付勢力によって最も後方に位置している。
【００８１】
図２２Ａに示したようにプリンタ１の後端をクレードル３０に係合させた後、プリンタ１の底面からクレードル３０の上面へ向かう下向き（第１方向の一例）のプリンタ１の動作によって、プリンタ１の前側部分をクレードル３０上に載置させる。すると、先ず、プリンタ１の連結部１０５の突起１０５ａがクレードル３０の連結部３０５の連結爪３０５ｂに当接する。
図２４Ａに示すように、連結爪３０５ｂは傾斜面３０５ｂａを有するため、連結部１０５の突起１０５ａが連結爪３０５ｂの傾斜面３０５ｂａを下向きに押すと、コイルばね３１８の付勢力に抗して連結部３０５が前方に移動することで、連結部１０５の突起１０５ａは連結爪３０５ｂよりも下方に移動することが可能となる。連結部１０５の突起１０５ａが連結爪３０５ｂよりも下方に移動した後は、連結部３０５はコイルばね３１８の付勢力によって再び元の位置（図２４Ａに示す位置）に戻る。その結果、図２４Ａに示すように、連結部１０５と連結部３０５が連結される。つまり、プリンタ１とクレードル３０が連結された状態となる。プリンタ１とクレードル３０が連結された後には、図２２Ｂに示すように、クレードル３０の係合突起３１１がプリンタ１の係合溝１２１に完全に挿入された状態となる。
【００８２】
連結部１０５と連結部３０５が連結された状態では、プリンタ１の連結部１０５の突起１０５ａと、クレードル３０の連結部３０５の係合面３０５ｂｂとが、上下方向（つまり、プリンタ１の底面の基準面１０Ｂｓに直交する方向）で係合している。
図１６に示したように、クレードル３０の上面の基準面３０Ｆｓから突出して弾性体３１９（２箇所）が設けられている。この弾性体３１９は、突起１０５ａと係合面３０５ｂｂの係合力を高めるように、プリンタ１の底面に対してクレードル３０の底面と離間する方向に弾性力を作用させる。すなわち、図２４Ａにおいて、プリンタ１の連結部１０５の突起１０５ａを上方に押し上げる力が弾性体３１９により加わるため、突起１０５ａを通して連結爪３０５ｂの係合面３０５ｂｂに上向きの力が加わる。結果として、突起１０５ａと係合面３０５ｂｂの間の係合力が強化される。
【００８３】
（５−２）バッテリユニット２０が取り付けられていないプリンタ１をクレードル３０から取り外す場合
次に、いったんクレードル３０に載置されたプリンタ１（つまり、クレードル３０と連結されているプリンタ１）をクレードル３０から取り外す場合の動作について説明する。
プリンタ１をクレードル３０から取り外すには、クレードル３０の前端に設けられている解除レバー３１５を前方に引く操作を行う。解除レバー３１５を前方に引く操作を行うことで、クレードル３０の連結部３０５とプリンタ１の連結部１０５の連結が解除される。連結部３０５と連結部１０５の連結の解除について、図２３及び図２４を参照して、以下説明する。
【００８４】
図２３Ａに示すように、解除レバー３１５は一対の軸部３１５ａを備え、軸部３１５ａによりクレードル３０の底部に軸支されている。つまり、解除レバー３１５が操作されると、軸部３１５ａを中心に解除レバー３１５全体が回動する。
解除レバー３１５は、連結部３０５の基部３０５ａに向かって開口した袋状をなしており、連結部３０５の係合片３０５ｃを保持する。
【００８５】
図２３Ａ及び図２４Ａに示す状態で解除レバー３１５を前方に倒すように操作されると、解除レバー３１５は軸部３１５ａを中心に回転し、それによって連結部３０５の係合片３０５ｃを前方に引く。係合片３０５ｃの前方への移動に伴って、連結爪３０５ｂがコイルばね３１８の付勢力に抗して前方に移動する。その結果、図２４Ｂに示すように、連結爪３０５ｂと連結部１０５の突起１０５ａとの係合が解除され、プリンタ１の前方部分を上方へ移動させることが可能となる。すなわち、ユーザは、解除レバー３１５を前方に倒しつつプリンタ１の前方部分を持ち上げることで、プリンタ１とクレードル３０の連結を解除することができるようになる。
プリンタ１の前方部分の連結が解除されると、プリンタ１の後方部分は図２２Ｂに示す状態から図２２Ａに示す状態に変化させる操作が可能となり、係合溝１２１と係合突起３１１の係合が解除される。
【００８６】
（５−３）バッテリユニット２０が取り付けられたプリンタ１をクレードル３０に載置させる場合
次に、バッテリユニット２０が取り付けられたプリンタ１をクレードル３０に載置させる場合の動作について説明する。
この場合、バッテリユニット２０の底面がクレードル３０の上面に載置される。このとき、バッテリユニット２０の底面の溝２２３（図１２参照）に、クレードル３０の上面に設けられた突起３０３（図１６参照）が挿脱自在に挿入される。バッテリユニット２０の底面の前端には凹部２２５が設けられており、この凹部２２５にクレードル３０の連結部３０５が挿入される。凹部２２５内では連結部３０５は自由な状態であり、バッテリユニット２０とクレードル３０は連結されない。
【００８７】
（５−４）バッテリユニット２０が取り付けられたプリンタ１をクレードル３０から取り外す場合
次に、バッテリユニット２０が取り付けられたプリンタ１をクレードル３０から取り外す場合の動作について説明する。
上述したように、バッテリユニット２０の底面がクレードル３０の上面に載置された状態では、凹部２２５内では連結部３０５は自由な状態であり、突起３０３がバッテリユニット２０の溝２２３に挿脱自在に挿入されているに過ぎない。そのため、バッテリユニット２０が取り付けられたプリンタ１を持ち上げることで、容易にクレードル３０からプリンタ１を取り外すことができる。
【００８８】
以上説明したように、本実施形態の載置システム５０は、バッテリユニット２０又はプリンタ１を載置するクレードル３０と、連結機構３００とを備える。連結機構３００は、プリンタ１にバッテリユニット２０が取り付けられていない状態ではプリンタ１とクレードル３０を連結し、プリンタ１にバッテリユニット２０が取り付けられている状態ではプリンタ１とクレードル３０を連結しない。そのため、本実施形態の載置システム５０によれば、プリンタ１のクレードル３０に対する連結状態を調節することができる。
本実施形態では、電子機器（例えばプリンタ１）に電池収容装置（例えばバッテリユニット２０）が取り付けられていない状態で電子機器と載置装置（例えばクレードル３０）を連結する連結機構を有し、連結機構は、電子機器に電池収容装置が取り付けられている状態では電子機器と載置装置を連結しない。これはつまり、「電子機器と載置装置を連結する連結機構、を有し、連結機構は、電子機器に電池収容装置が取り付けられている状態では電子機器と前記載置装置を連結せず、電子機器に電池収容装置が取り付けられていない状態では電子機器と載置装置を連結する」ということである。
【００８９】
より具体的には、プリンタ１にバッテリユニット２０が取り付けられている状態ではプリンタ１とクレードル３０が連結されないため、バッテリ電源によりプリンタ１を使用する場合、バッテリ充電とプリンタ１の使用とを容易に切り替え可能である。つまり、バッテリ充電を行う場合にはクレードル３０に載置し、プリンタ１を使用する場合にはプリンタ１を把持部１９によって持ち上げるだけで済む。
【００９０】
他方、プリンタ１にバッテリユニット２０が取り付けられていない状態ではプリンタ１とクレードル３０が連結されるため、プリンタ１とクレードル３０を一体で持ち運びながらユーザが作業を進めることができる。このとき、クレードル３０にはＡＣアダプタ４００が内蔵されているため、当該ＡＣアダプタ４００を保護できるという利点がある。さらに、バッテリユニット２０がプリンタ１に取り付けられていないために全体が軽量となり、プリンタ１とクレードル３０を持ち運びがしやすいという利点がある。
【００９１】
（６）変形例
以下、本実施形態の載置システム５０の変形例について説明する。
【００９２】
（６−１）第１の変形例
第１の変形例は、クレードル３０のコネクタ３０９の変形例である。本変形例に係るコネクタ３０９Ａを、図２５を参照して説明する。図２５は、本実施形態に係るクレードル３０において、コネクタの変形例を示す図である。
本変形例に係るコネクタ３０９Ａは、ＰＣＢハウジング３０７Ａの基準面３０７Ａｓに隆起部を設けている点ではコネクタ３０９と同様であるが、隆起部には突出部を設けていない点でコネクタ３０９と異なる。
【００９３】
本変形例のコネクタ３０９Ａは、その端子配列に特徴がある。すなわち、同一の第１電圧が印加される端子を含む第１の端子群と、同一の第２電圧が印加される端子を含む第２の端子群とを、複数の隆起部Ｐ３〜Ｐ５のうちそれぞれ異なる隆起部に配置されている。第１電圧の一例は電源電圧であり、第２電圧の一例はＧＮＤ電圧である。例えば、隆起部Ｐ３に配置されている端子ｔ１〜ｔ６はすべてＧＮＤ端子とし、隆起部Ｐ４に配置されている端子ｔ７〜ｔ１２はすべて電源電圧が印加される端子（電源端子）とする。隆起部Ｐ５に配置されている端子ｔ１３〜ｔ１８はすべて所定の信号が印加される端子とする。
【００９４】
本変形例のコネクタ３０９Ａでは、各隆起部において隣接する端子間に突出部を設けていないが、各隆起部には、同一の電圧又は同一種類の電圧が印加される端子を集約させて配置させている。そのため、仮に隆起部Ｐ３〜Ｐ５の表面に液体が存在する場合でも端子間の短絡が大きな問題を惹起する可能性は低い。例えば、電源端子とＧＮＤ端子の短絡が生ずる可能性は低い。従って、コネクタ３０９とは異なり、コネクタ３０９Ａでは隆起部に突出部を設けなくても信頼性の高いコネクタを実現することができる。
【００９５】
（６−２）第２の変形例
上述した実施形態では、プリンタ１をクレードル３０に載置して両者を連結させるために、いったん後方の係合機構３１０によってプリンタ１とクレードル３０を係合させ、その後に連結機構３００によりプリンタ１とクレードル３０が連結される。しかし、この限りではなく、係合機構３１０は必須ではない。例えば、連結機構３００をクレードル３０の前後方向の中央位置に設けた場合には、係合機構３１０による係合が行われないとしても、クレードル３０と連結中のプリンタ１が、その前端及び後端でクレードル３０から大きく離間しない。そのため、プリンタ１とクレードル３０を一体的に持ち運ぶのに支障はない。なお、クレードル３０の前後方向の中央位置に連結機構を設ける場合に、解除レバー３１５の位置を変えなくても当業者であれば連結部３０５の設計変更によって対応可能である。例えば、基部３０５ａと係合片３０５ｃの距離を調整してもよい。
【００９６】
（６−３）第３の変形例
上述した実施形態では、プリンタ１の底面の外縁と、バッテリユニット２０の底面の外縁とは同一である場合について説明したが、その限りではない。バッテリユニット２０の上面が平面視にてプリンタ１の底面全体を覆うように配置されればよい。すなわち、プリンタ本体と、プリンタ本体に着脱可能な電池収容装置（例えばバッテリユニット２０）と、を備え、電池収容装置がプリンタ本体に取り付けられた状態では、電池収容装置の上面が平面視にてプリンタ本体の底面全体を覆うように配置されればよい。例えば、プリンタ１の底面に取り付けられるバッテリユニット２０の底面の外縁がプリンタ１の底面の外縁よりも大きくてもよい。その場合、バッテリユニット２０の底面の外縁がプリンタ１のそれよりも大きいため、バッテリユニット２０を備えたプリンタ１の姿勢がより安定化する。また、プリンタ１の内部にバッテリを収容するためのバッテリハウジングを備える必要がないため、バッテリユニット２０を取り外した状態でプリンタ１を小型化することができる点は、上述した実施形態と同様である。
【００９７】
以上、本発明の実施形態について詳細に説明したが、本発明の載置システムは上記実施形態に限定されず、本発明の主旨を逸脱しない範囲において、種々の改良や変更をしてもよいのは勿論である。
【００９８】
上述した実施形態では、プリンタ１に収容されるロール紙Ｒとして、連続紙Ｐが、帯状の台紙ＰＭと、台紙上に予め決められた間隔毎に仮着された複数枚のラベルＰＬとを備えたものを例示したが、その限りではない。ロール紙Ｒの種類は限定するものではなく、粘着剤を備えない印字用紙が巻回されたものでもよいし、裏面に粘着剤が設けられた長尺状の印字用紙が巻回されたものでもよい。
【００９９】
上述した実施形態では電子機器の一例としてプリンタを例に挙げて説明したが、それに限られない。パーソナルコンピュータ、携帯電話機、デジタルビデオカメラ、デジタルスティルカメラ等の他の電子機器に対しても適用することができる。
【符号の説明】
【０１００】
５０…載置システム、１…プリンタ、２…筐体、３…開閉部、３１…シャフト、４…表示パネル、５…プラテンローラ、６…サーマルヘッド、７…排出口、８…収容部、９…ダンパ、１０…ガイド機構、１１…モータ、１３，１７…補助ローラ、１８…制御部、１９…把持部、１０Ｂｓ…基準面、１０１…脚部、１０３，１２１…係合溝、１０５…連結部、１０７，１１３…凹部、１０９…コネクタカバー、１１１…係合凹部、１１５…コネクタ、２０…バッテリユニット、２０Ｆｓ，２０Ｂｓ…基準面、２０１…脚受入部、２０３，２１１…係合突起、２０７…ＰＣＢハウジング、２１３…バッテリハウジング、２１３Ｈ…中空、２１５…コネクタ、２２１…脚部、２２３…溝、２２５，２２７…凹部、２２６…コネクタ、２２９…コネクタカバー、２３１…バッテリカバー、２３３…レバー、２３５…解除操作部、３０…クレードル、３０ａ…前端壁面、３０ｂ…左端側壁面、３０ｃ…右端側壁面、３０ｄ…後端壁面、３０Ｆｓ，３０Ｂｓ…基準面、３００…連結機構、３０１…脚受入部、３０３…突起、３１１…係合突起、３０５…連結部、３０５ａ…基部、３０５ｂ…連結爪、３０５ｃ…係合片、３０５ｄ…係合ピン、３０７，３０７Ａ…ＰＣＢハウジング、３０７ｓ，３０７Ａｓ…基準面、３０９，３０９Ａ…コネクタ、３１０…係合機構、３１５…解除レバー、３１５ａ…軸部、３１６…支持部、３１７…ガイド孔、３１８…コイルばね、３１９…弾性体、３２１…脚部、３２３…カバー、３２５…係合爪、３２７…アダプタハウジング、３２７ｈ…開口、３２９…ケーブルハウジング、３３１…コネクタ、４００…ＡＣアダプタ、Ｃ１，Ｃ２…ケーブル、Ｔ１〜Ｔ２０，ｔ１〜ｔ１８…端子、Ｐ１〜Ｐ５…隆起部、Ｗ１〜Ｗ３…突出部、ＳＰ１，ＳＰ２…端子収容部、Ｂ１…プリント基板、Ｒ…ロール紙、Ｐ…連続紙、ＰＭ…台紙、ＰＬ…ラベル
【図１】
2019171875.tif 000003
【図２】
2019171875.tif 000004
【図３】
2019171875.tif 000005
【図４】
2019171875.tif 000006
【図５】
2019171875.tif 000007
【図６】
2019171875.tif 000008
【図７】
2019171875.tif 000009
【図８】
2019171875.tif 000010
【図９】
2019171875.tif 000011
【図１０】
2019171875.tif 000012
【図１１】
2019171875.tif 000013
【図１２】
2019171875.tif 000014
【図１３】
2019171875.tif 000015
【図１４】
2019171875.tif 000016
【図１５】
2019171875.tif 000017
【図１６】
2019171875.tif 000018
【図１７】
2019171875.tif 000019
【図１８】
2019171875.tif 000020
【図１９】
2019171875.tif 000021
【図２０】
2019171875.tif 000022
【図２１】
2019171875.tif 000023
【図２２】
2019171875.tif 000024
【図２３】
2019171875.tif 000025
【図２４】
2019171875.tif 000026
【図２５】
2019171875.tif 000027